(57)【要約】【課題】バーリング形状の収容部に固定された含油軸受を備えた軸受ユニットにおいて、軸受油の減少を抑制する。【解決手段】ロータ３のシャフト５を回転自在に支持する含浸軸受６と、ロータ３を内蔵するハウジングの軸方向端面２ｄを外側に向かって凸となるバーリング形状に形成され、含浸軸受６を回転不能に収容する収容部２０と、収容部２０に収容された含浸軸受６における収容部２０の開口２３側を向く外側端面６ａに接触するように配置される第一油止めワッシャ１１と、収容部２０に収容された含浸軸受６におけるロータ３側を向く内側端面６ｂに接触するように配置される第二油止めワッシャ１２と、を備えている。【選択図】図２
2020094666.tif 000002
【特許請求の範囲】
【請求項１】
ロータのシャフトを回転自在に支持する含浸軸受と、
前記ロータを内蔵するハウジングの軸方向端面を外側に向かって凸となるバーリング形状に形成され、前記含浸軸受を回転不能に収容する収容部と、
前記収容部に収容された前記含浸軸受における前記収容部の開口側を向く外側端面に接触するように配置される第一油止めワッシャと、
前記含浸軸受における前記ロータ側を向く内側端面に接触するように配置される第二油止めワッシャと、を備えている
ことを特徴とする、軸受ユニット。
【請求項２】
前記第一油止めワッシャは、前記収容部に固定されている
ことを特徴とする、請求項１記載の軸受ユニット。
【請求項３】
前記第一油止めワッシャは、前記シャフトに固定されている
ことを特徴とする、請求項１記載の軸受ユニット。
【請求項４】
前記第二油止めワッシャは、前記収容部に固定されている
ことを特徴とする、請求項１〜３のいずれか１項に記載の軸受ユニット。
【請求項５】
前記第二油止めワッシャは、前記シャフトに固定されている
ことを特徴とする、請求項１〜３のいずれか１項に記載の軸受ユニット。
【請求項６】
前記第二油止めワッシャは、前記含浸軸受の前記内側端面と前記ロータのロータブッシュとにより挟まれている
ことを特徴とする、請求項１〜５のいずれか１項に記載の軸受ユニット。
【請求項７】
ハウジングに内蔵されたステータおよびロータを具備したモータにおいて、
前記ロータと一体回転するシャフトを回転自在に支持する軸受と、前記ハウジングに結合されるとともに前記軸受が固定される有底筒状のエンドベルとに対して、請求項１〜６のいずれか１項に記載の軸受ユニットが適用されている
ことを特徴とする、モータ。
【発明の詳細な説明】
【技術分野】
【０００１】
本発明は、シャフトを回転自在に支持する含油軸受を備えた軸受ユニット、および、この軸受ユニットが適用されたモータに関する。
【背景技術】
【０００２】
事務機器や車載電装機器などに使用されるモータには、シャフトを回転自在に支持する軸受として、含油軸受が採用されることがある。含油軸受（以下「軸受」ともいう）は、相対的に摺動する二面間（すなわち、軸受内周面とシャフト外周面との間）に粘性油膜を介在させ、この油膜の圧力によってシャフトを支持する。この油（以下「軸受油」ともいう）は、焼結体である軸受の細孔内に含浸された潤滑油が、シャフトの回転による吸引力と軸受の温度上昇とによって表面に漏出したものである。軸受は、ロータおよびステータが収容されるハウジングの端部に設けられた収容部に固定されるのが一般的である（例えば特許文献１参照）。
【先行技術文献】
【特許文献】
【０００３】
【特許文献１】特開平８−１７２７４５号公報
【発明の概要】
【発明が解決しようとする課題】
【０００４】
軸受を収容する収容部の形状の一つとして、バーリング形状が知られている。バーリング形状の収容部は、軸方向に直交する底面部分が大きく開口しているため、軸受から漏出した油が開口側から漏出しやすいという課題がある。軸受油は、軸受の表面に接していれば自然と細孔内に吸収され、再び粘性油膜の形成に寄与する。しかしながら、収容部の底面側の開口から軸受油が漏出してしまうと、軸受に戻ることができず、軸受油の減少を招く。また、収容部はロータ側に向かっても開口していることから、軸受のロータ側を向く面から軸受油が漏出すると、ロータの回転時の遠心力により、軸受油が周囲に飛散するおそれもある。軸受油が減少すると潤滑が不十分となり、シャフトと軸受とが金属接触し、摺動異常音やモータ電流値の乱れ、軸受の摩耗促進に繋がるおそれもある。
【０００５】
本件は、このような課題に鑑み案出されたもので、バーリング形状の収容部に固定された含油軸受を備えた軸受ユニットにおいて、軸受油の減少を抑制することを目的の一つとする。また、軸受油の減少を抑制して品質や寿命を向上させることができるようにしたモータを提供することも目的の一つとする。なお、これらの目的に限らず、後述する発明を実施するための形態に示す各構成により導かれる作用効果であって、従来の技術によっては得られない作用効果を奏することも本件の他の目的である。
【課題を解決するための手段】
【０００６】
（１）ここで開示する軸受ユニットは、ロータのシャフトを回転自在に支持する含浸軸受と、前記ロータを内蔵するハウジングの軸方向端面を外側に向かって凸となるバーリング形状に形成され、前記含浸軸受を回転不能に収容する収容部と、前記収容部に収容された前記含浸軸受における前記収容部の開口側を向く外側端面に接触するように配置される第一油止めワッシャと、前記含浸軸受における前記ロータ側を向く内側端面に接触するように配置される第二油止めワッシャと、を備えている。
【０００７】
（２）前記第一油止めワッシャは、前記収容部に固定されていることが好ましい。
（３）あるいは、前記第一油止めワッシャは、前記シャフトに固定されていることが好ましい。
（４）前記第二油止めワッシャは、前記収容部に固定されていることが好ましい。
（５）あるいは、前記第二油止めワッシャは、前記シャフトに固定されていることが好ましい。
（６）また、前記第二油止めワッシャは、前記含浸軸受の前記内側端面と前記ロータのロータブッシュとにより挟まれていることが好ましい。
【０００８】
（７）ここで開示するモータは、ハウジングに内蔵されたステータおよびロータを具備したモータにおいて、前記ロータと一体回転するシャフトを回転自在に支持する軸受と、前記ハウジングに結合されるとともに前記軸受が固定される有底筒状のエンドベルとに対して、上記の（１）〜（６）のいずれか一つに記載の軸受ユニットが適用されている。
【発明の効果】
【０００９】
開示の軸受ユニットによれば、第一油止めワッシャおよび第二油止めワッシャにより含浸軸受の外側端面および内側端面を挟み込むことで、含浸軸受からの油の漏出および飛散を抑制できる。これにより、含浸軸受の油の減少を抑制できることから、油不足に起因した摺動異常音の発生や電流値の乱れ等を防止できる。
また、開示のモータによれば、軸受油の減少を抑制することができるため、モータの品質や寿命を向上させることができる。
【図面の簡単な説明】
【００１０】
【図１】実施形態に係るモータを示す模式的な軸方向断面図である。
【図２】実施形態に係る軸受ユニットを示す軸方向断面図（図１のＡ部拡大図）である。
【図３】図２の軸受ユニットが備える第一油止めワッシャの斜視図である。
【図４】第一変形例に係る軸受ユニットを示す軸方向断面図である。
【図５】第二変形例に係る軸受ユニットを示す軸方向断面図である。
【図６】第三変形例に係る軸受ユニットを示す軸方向断面図である。
【図７】第四変形例に係る軸受ユニットを示す軸方向断面図である。
【発明を実施するための形態】
【００１１】
図面を参照して、実施形態としての軸受ユニットおよびモータについて説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１２】
［１．構成］
図１は本実施形態に係るモータ１の軸方向断面図であり、図２は本実施形態に係る軸受ユニットを示す軸方向断面図（図１のＡ部拡大図）である。本実施形態のモータ１は、例えば事務機器や家庭用電気機器などに使用される小型モータである。なお、本実施形態のモータ１はブラシ付きの直流モータを例示するが、モータの種類や用途は特に限定されない。
【００１３】
図１に示すように、モータ１は、ハウジング２に内蔵されたロータ３およびステータ４を備える。ロータ３は、シャフト５に固定されたロータコア３ａおよび整流子３ｂと、ロータコア３ａに巻回されたコイル３ｃ等を有する。ステータ４は、ハウジング２の内周面２ｃに固定されたマグネット４ａを有する。ハウジング２は、有底円筒状に形成された本体部２Ａと、本体部２Ａの開口を塞ぐエンドベル２Ｂとを有する。本体部２Ａの底部２ｄおよびエンドベル２Ｂは、軸方向に直交する方向に延在し、いずれもハウジング２の軸方向端面をなす。
【００１４】
ハウジング２の底部２ｄおよびエンドベル２Ｂのそれぞれには、含浸軸受６（以下「軸受６」という）を回転不能に収容する収容部２０，３０が設けられる。本実施形態では、二箇所の収容部２０，３０の形状が互いに異なるモータ１を例示する。一方の収容部２０は、底部２ｄを外側（ロータ３とは逆側）に向かって凸となるバーリング形状に形成された部位であり、軸方向に直交する底面部に相当する部分が開口している。なお、バーリング形状とは、バーリング加工によって形成された形状を意味する。例えば、下穴を形成したのち、この下穴の周囲に立ち上がり加工によって周壁部を形成することで、バーリング形状の収容部２０が形成される。
【００１５】
他方の収容部３０は、エンドベル２Ｂを外側に向かって凸となるように形成された部位であり、軸方向に直交する断面形状が一定な有底円筒状をなす。この収容部３０には、軸方向に直交して延在する底面部が設けられ、この底面部にはシャフト５が挿通される貫通孔が形成されている。本実施形態の軸受ユニットは、底部２ｄ側の収容部２０に適用される。
【００１６】
軸受６は、潤滑油を含浸させた筒状の焼結体であり、ロータ３のシャフト５を回転自在に支持する。本実施形態の軸受６は円筒状に形成されており、図１に示すように、二箇所の収容部２０，３０のそれぞれに圧入固定される。シャフト５が回転すると、いわゆるポンプ作用が起こって細孔内の油が外部へと吸い出される。これにより、軸受６とシャフト５との間に油膜が形成される。シャフト５の回転中は、細孔内の油が外部への吸い出されるとともに軸受６の周辺の油が細孔内へと吸収される。一方、シャフト５の回転が停止すると、軸受６の表面に接している油は毛細管現象によって細孔に吸収される。
【００１７】
図２に示すように、収容部２０は、軸方向に直交する断面形状が一定な筒状をなし、軸方向に延在する筒部２１を有する。本実施形態の筒部２１は円筒状である。収容部２０の先端部２２は、筒部２１の端部から径方向内側に向かって屈曲形成されており、径方向寸法が一様な筒部２１の内面と先端部２２の内面とのなす角が鈍角となる傾きになっている。収容部２０の軸方向寸法は、軸受６の軸方向寸法に後述する二つのワッシャ１１，１２の厚みを加算した値よりも大きく設定される。なお、以下の説明では、収容部２０の先端部２２側の開口を「外側開口２３」といい、収容部２０のロータ３側の開口を「内側開口２４」という。
【００１８】
軸受６は、収容部２０の外側開口２３側を向く端面６ａ（以下「外側端面６ａ」という）が、径方向から見て先端部２２と重ならないように（すなわち、先端部２２よりもロータ３寄りに）配置され、ロータ３側を向く端面６ｂ（以下「内側端面６ｂ」という）が収容部２０内に完全に収まるように、ハウジング２に固定される。すなわち、内側端面６ｂは、径方向から見て収容部２０の筒部２１と重なる位置に配置される。
【００１９】
本実施形態のモータ１には、収容部２０に収容された軸受６の外側端面６ａおよび内側端面６ｂのそれぞれに接触するようにワッシャ１１，１２が配置される。各ワッシャ１１，１２は、例えば樹脂製であり、軸受６からの油の漏出を防止する機能を持つ油止めワッシャである。本実施形態のワッシャ１１，１２は、いずれも収容部２０に固定され、軸受６を軸方向両側から挟持するように端面６ａ，６ｂに面接触又は密着している。
【００２０】
以下、二つのワッシャ１１，１２を区別する場合には、外側端面６ａに接触する一方を「第一ワッシャ１１」といい、内側端面６ｂに接触する他方を「第二ワッシャ１２」という。上述した軸受６，ハウジング２の収容部２０および二つのワッシャ１１，１２は、本実施形態の軸受ユニットを構成する主要部品である。以下、軸受ユニットについて更に詳述する。
【００２１】
図３に示すように、第一ワッシャ１１（第一油止めワッシャ）は、中心にシャフト５が挿通される円形の孔部１１ｈを有し、厚さ（軸方向長さ）が一定の円盤形状に形成されている。本実施形態の第一ワッシャ１１は収容部２０に圧入固定されるため、その外径は収容部２０の筒部２１の内径よりも僅かに大きく設定される。また、第一ワッシャ１１の内径は、シャフト５の外径よりも僅かに大きく設定される。これにより、図２に示すように、シャフト５との間に僅かな隙間が形成される。なお、第一ワッシャ１１が布ベークライトや他の樹脂等の金属以外の材料で形成されている場合、シャフト５との間の隙間をできるだけ小さくすることができ、これにより、第一ワッシャ１１の径方向外側からの油の漏出が抑制される。
【００２２】
本実施形態の第二ワッシャ１２（第二油止めワッシャ）は、図３に示す第一ワッシャ１１と同一形状に形成されている。すなわち、図２に示すように、第二ワッシャ１２も、中心にシャフト５が挿通される円形の孔部１２ｈを有する厚さ一定の円盤形状であり、その外径は収容部２０の筒部２１の内径よりも僅かに大きく設定される。また、第二ワッシャ１２の内径は、シャフト５の外径よりも僅かに大きく設定される。
【００２３】
なお、図２に示す軸受６は、径方向の内側および外側の角部がいずれも面取りされている。そのため、軸受６の各端面６ａ，６ｂにおける内径は、軸受６の軸方向中間部における内径よりも大きく、反対に、軸受６の各端面６ａ，６ｂにおける外径は、軸受６の軸方向中間部における外径よりも小さい。言い換えると、軸受６の軸方向両端部では、シャフト５との間、および、収容部２０の筒部２１の内面との間に、それぞれ隙間が形成される。
【００２４】
本実施形態のワッシャ１１，１２の軸受側端面１１ａ，１２ａは、いずれも軸受６の各端面６ａ，６ｂの全面を覆う円環状に形成されている。すなわち、ワッシャ１１，１２の各内径は、軸受６の軸方向両端部の内径よりも小さく、ワッシャ１１，１２の各外径は、軸受６の軸方向両端部の外径よりも大きく設定される。なお、第二ワッシャ１２は、軸受６の内側端面６ｂとロータ３のロータブッシュ３ｄの端面とにより挟まれる。すなわち、第二ワッシャ１２のロータ側端面１２ｂは、ロータブッシュ３ｄに面接触して配置される。これにより、軸受６の径方向内側からロータ３側に向かう油の漏出が、第二ワッシャ１２に加えてロータブッシュ３ｄによっても抑制される。
【００２５】
本実施形態のワッシャ１１，１２は、少なくとも軸受側端面１１ａ，１２ａに撥油処理が施された撥油面を有する。撥油処理とは、油をはじく撥油処理剤を塗布する処理である。撥油面に付着した油は、広がらずに球状となるため、例えば軸受６の端面６ａ，６ｂから漏出しようとする油が軸受側端面１１ａ，１２ａで留まり、軸受６の内部へと戻りやすくなる。なお、ワッシャ１１，１２の表面全体に撥油処理が施されていてもよいし、撥油処理を省略してもよい。
【００２６】
［２．作用，効果］
（１）上述した軸受ユニットによれば、二つのワッシャ１１，１２により軸受６の両端面６ａ，６ｂを挟み込むことで、軸受６からの油の漏出および飛散を抑制できる。これにより、軸受６の油の減少を抑制できることから、油不足によりシャフト５と軸受６とが金属接触することで発生する摺動異常音を抑制できる。さらに、油不足に起因した電流値の乱れを抑制できるとともに、回転負荷の増大や軸受６の摩耗促進をも防ぐことができる。
【００２７】
（２）上述した軸受ユニットでは、外側開口２３側に配置される第一ワッシャ１１が収容部２０に固定されている。すなわち、上述した軸受ユニットでは第一ワッシャ１１が回転しないため、軸受６の外側端面６ａに面接触又は密着させることができる。これにより、外側端面６ａ側からの油の漏出を効果的に抑制できる。
（３）さらに、上述した軸受ユニットでは、内側開口２４側に配置される第二ワッシャ１２も収容部２０に固定されており回転しないことから、第二ワッシャ１２を軸受６の内側端面６ｂに面接触又は密着させることができる。これにより、内側端面６ｂ側からの油の漏出も効果的に抑制できる。
【００２８】
（４）上述した軸受ユニットによれば、第二ワッシャ１２が軸受６の内側端面６ｂとロータブッシュ３ｄとによって挟まれていることから、軸受６の径方向内側からの油漏れを、ロータブッシュ３ｄを利用して抑制できる。このため、軸受６の油の減少をより抑制することができる。
【００２９】
（５）また、上述した軸受ユニットが適用されたモータ１によれば、軸受６からの油の漏出をワッシャ１１，１２により抑制できることから、軸受６の油の減少を抑制でき、モータ１の品質や寿命を向上させることができる。
【００３０】
［３．変形例］
上述した軸受ユニットは一例であって、その構成は上述したものに限られない。上述した軸受ユニットでは、二つのワッシャ１１，１２がいずれも収容部２０に固定されているが、ワッシャ１１，１２のいずれか一方又は両方が、シャフト５に固定されていてもよい。図４〜図７は、第一変形例〜第三変形例に係る軸受ユニットを示す断面図（図２に対応する図）である。なお、上述した実施形態やそれまでに説明した変形例と同様の構成については、上述した実施形態や変形例の符号と同一の符号又は同様の符号（同一の数字に異なるアルファベット等）を付し、重複する説明は省略する。
【００３１】
［３−１．第一変形例］
図４に示すように、第一変形例に係る軸受ユニットは、軸受６の外側端面６ａに接触するように配置される第一ワッシャ１１′がシャフト５に固定されている点、及び、第二ワッシャ１２が円盤形状でない点で、上述した実施形態と異なる。ここでは、第一ワッシャ１１′がシャフト５に圧入される場合を例示する。また、本変形例の第二ワッシャには符号１２Ｃを付す。
【００３２】
図４の第一ワッシャ１１′は、その内径がシャフト５の外径よりも僅かに小さく設定される。また、第一ワッシャ１１′の外径は、収容部２０の筒部２１の内径よりも小さく設定される。これにより、第一ワッシャ１１′と筒部２１の内面との間には僅かな隙間が形成されるが、上述した実施形態と同様、第一ワッシャ１１′が樹脂製である場合には、この隙間をできるだけ小さくすることができ、油の漏出が効果的に抑制される。
【００３３】
また、図４の第二ワッシャ１２Ｃは、上記の第二ワッシャ１２と同様、軸受６の内側端面６ｂに接触するように配置されるとともに収容部２０に固定されている。本変形例の第二ワッシャ１２Ｃは、中心に円形の孔を持つ円盤状の部位（以下「底面部１２ｅ」と呼ぶ）に加えて、底面部１２ｅの周囲に立設された壁部１２ｆを有する有底筒状に形成されている。底面部１２ｅは軸受６の内側端面６ｂを被覆する機能を持つ。底面部１２ｅには、壁部１２ｆで受け止められた油が軸受６へ戻るための複数の貫通孔１２ｇが周方向に間隔をあけて配置されている。
【００３４】
図４に示す底面部１２ｅは、内側端面６ｂの略全体を覆う形状に形成されているが、底面部１２ｅの形状はこれに限られない。例えば、内側端面６ｂの径方向内側部分を別のワッシャで覆う構成であれば、底面部１２ｅが、このワッシャで被覆されない部分を覆う形状に形成されていてもよい。第二ワッシャ１２Ｃの壁部１２ｆは収容部２０の外側まで立設されており、飛散した油を広範囲で受け止める機能を持つ。なお、この壁部１２ｆの高さ（軸方向寸法）は図示したものに限られない。また、第二ワッシャ１２Ｃの軸受側端面１２ａや壁部１２ｆの径方向内側の面に撥油処理が施されていることが好ましい。
【００３５】
このような構成によれば、第一ワッシャ１１′とシャフト５との間の隙間をなくすことができるため、軸受６の径方向内側部分からハウジング２の外側に向かう油の漏出防止効果を高めることができる。これにより、軸受６の油の減少を抑制できることから、油不足に起因した摺動異常音の発生や電流値の乱れを抑制でき、回転負荷の増大や軸受６の摩耗促進をも防ぐことができる。また、有底筒状の第二ワッシャ１２Ｃにより、軸受６からの油の漏出および飛散を抑制できるとともに壁部１２ｆで受け止めた油を軸受６へ戻すことができるため、油の減少をさらに抑制できる。なお、上述した実施形態と同様の構成からは同様の効果を得ることができる。
【００３６】
［３−２．第二変形例］
図５に示すように、第二変形例に係る軸受ユニットは、軸受６の内側端面６ｂに接触するように配置される第二ワッシャ１２′がシャフト５に固定されている点で、上述した実施形態と異なる。ここでは、第二ワッシャ１２′がシャフト５に圧入される場合を例示する。すなわち、図５の第二ワッシャ１２′は、その内径がシャフト５の外径よりも僅かに小さく設定される。また、第二ワッシャ１２′の外径は、収容部２０の筒部２１の内径よりも小さく設定される。これにより、第二ワッシャ１２′と筒部２１の内面との間には僅かな隙間が形成されるが、上述した実施形態と同様、第二ワッシャ１２′が樹脂製である場合には、この隙間をできるだけ小さくすることができ、油の漏出が効果的に抑制される。
【００３７】
また、第二ワッシャ１２′はシャフト５と共に回転することから、そのロータ側端面１２ｂをロータブッシュ３ｄに面接触又は密着させて配置できる。シャフト５の回転中、軸受６の油はその径方向内側に集まりやすく、径方向内側部分から漏出しやすい。このため、第二ワッシャ１２′をシャフト５に固定してシャフト５との間の隙間をなくし、さらに、第二ワッシャ１２′をロータブッシュ３ｄおよび軸受６の内側端面６ｂとの間に挟み込んでロータブッシュ３ｄに面接触又は密着させることで、上述した実施形態と比較して、軸受６の径方向内側部分からロータ３側に向かう油の漏出防止効果を高めることができる。これにより、軸受６の油の減少を抑制できることから、油不足に起因した摺動異常音の発生や電流値の乱れを抑制でき、回転負荷の増大や軸受６の摩耗促進をも防ぐことができる。なお、上述した実施形態と同様の構成からは同様の効果を得ることができる。
【００３８】
［３−３．第三変形例］
図６に示すように、第三変形例に係る軸受ユニットは、軸受６の内側端面６ｂに接触するように配置される第二ワッシャ１２′が円盤形状でない点で、上述した第二変形例と異なる。本変形例の第二ワッシャには符号１２Ｄ′を付す。図６の第二ワッシャ１２Ｄ′は、上記の第二ワッシャ１２′と同様、軸受６の内側端面６ｂに接触するように配置されるとともにシャフト５に固定されている。
【００３９】
本変形例の第二ワッシャ１２Ｄ′は、軸受側端面１２ａの径方向内側の縁部（シャフト５と接触する部分）を切り欠いて形成された円環状の溝（以下「保持溝１２ｈ」という）と、軸受側端面１２ａの径方向中間部に凹設されるともに周方向に間隔をあけて並設された複数（例えば三つ）の案内溝１２ｊとを有する。これらの保持溝１２ｈおよび案内溝１２ｊはいずれも、軸受６から漏れた油を受け止めて軸受６へ戻す機能を持つ。なお、第二ワッシャ１２Ｄ′には、周方向に隣接する二つの案内溝１２ｊの間に壁部１２ｋが存在する。各壁部１２ｋは径方向に延設され、軸受６の内側端面６ｂに接触しており、油の漏れや飛散を防止する機能を持つ。
【００４０】
このような構成によれば、第二変形例の構成で得られる効果に加え、軸受６から漏出しうる油を溝１２ｈ，１２ｊで受け止めて軸受６に戻すことができるため、油の減少を効果的に抑制できる。
なお、図６に示す第二ワッシャ１２Ｄ′は、ロータ側端面１２ｂが平面状に形成されるとともに径方向内側部分に溝が設けられているが、この溝の径方向外側部分に、軸方向に沿って立設された壁部を有していてもよい。このような壁部を有する第二ワッシャであれば、軸受６からの油の飛散をより抑制できる。
【００４１】
［３−４．第四変形例］
図７に示すように、第四変形例に係る軸受ユニットは、第一ワッシャ１１′および第二ワッシャ１２′がいずれもシャフト５に固定されている点で、上述した実施形態と異なる。すなわち、本変形例の軸受ユニットは、上記の第一変形例の第一ワッシャ１１′と、第二変形例の第二ワッシャ１２′とを備える。このような構成によっても、上述した第一，第二変形例と同様の効果を得ることができる。なお、上述した実施形態と同様の構成からは同様の効果を得ることができる。
【００４２】
［４．その他］
上述した軸受ユニットはいずれも、ハウジング２の底部２ｄ側の収容部２０に適用されているが、エンドベル２Ｂ側の収容部がバーリング形状である場合には、その収容部にも上述した軸受ユニットを適用することができる。すなわち、ハウジング２の軸方向端面である底部２ｄおよびエンドベル２Ｂのいずれか一方又は両方に、上述した軸受ユニットを適用可能である。なお、両方に軸受ユニットを適用する場合に、二つの軸受ユニットを同様の構成としてもよいし、例えば、底部２ｄ側には第三変形例の軸受ユニットを適用し、エンドベル２Ｂ側には上述した（図２に示す）軸受ユニットを適用するなど、二つの軸受ユニットを互いに異なる構成としてもよい。
【００４３】
上述した軸受６は、軸方向両端部の角部が面取りされているが、軸受６の形状は特に限られない。また、軸受６が収容される収容部２０の形状も上述したものに限られない。少なくとも、収容部はバーリング形状であればよく、例えば上記の先端部２２に代えて、収容部の先端部までを径方向寸法が一定の筒部２１としてもよいし、筒部２１が円筒状でなくてもよい。
【００４４】
また、上記のワッシャ１１，１１′，１２，１２′，１２Ｃ，１２Ｄ′の上記の材質は一例であって、上記以外の材料で形成されていてもよい。なお、ワッシャ１１等の収容部２０やシャフト５への固定方法も一例であって、圧入以外の方法で固定してもよい。また、上述した実施形態では、第一ワッシャ１１と第二ワッシャ１２とが互いに同一材質かつ同一形状であるとして説明したが、これらが互いに異なる材料で形成されていてもよいし、互いに異なる形状であってもよい。また、第一ワッシャ１１，１１′と各変形例で示した第二ワッシャ１２′，１２Ｃ，１２Ｄ′との組み合わせを適宜変更してもよい。
【００４５】
なお、上述したモータ１は一例であり、上述した構成に限られない。例えば、ハウジング２の形状が有底円筒状でなくてもよい。
【符号の説明】
【００４６】
１  モータ
２  ハウジング
２Ｂ  エンドベル（軸方向端面）
２ｄ  底部（軸方向端面）
３  ロータ
４  ステータ
５  シャフト
６  軸受（含浸軸受）
６ａ  外側端面
６ｂ  内側端面
１１，１１′  第一ワッシャ（第一油止めワッシャ）
１２，１２′，１２Ｃ，１２Ｄ′  第二ワッシャ（第二油止めワッシャ）
２０  収容部
２３  外側開口（開口）
【図１】
2020094666.tif 000003
【図２】
2020094666.tif 000004
【図３】
2020094666.tif 000005
【図４】
2020094666.tif 000006
【図５】
2020094666.tif 000007
【図６】
2020094666.tif 000008
【図７】
2020094666.tif 000009